(57)【要約】【課題】透光性領域を有する遊技基板に対して複数の遊技部材を設けた遊技機用遊技盤において、透光性領域を設けたメリットを最大限に享受する。【解決手段】透光性領域を有する遊技基板に対して複数の遊技部材（入賞口２６，２７，３１，４１等）を設けて遊技盤２１を構成する。遊技部材のうちの少なくとも１つは、透光性領域において遊技盤２１の背面側に配設された部材（リード線３５，４７，４８等）を隠蔽するための隠蔽部（３６，４９等）を有する。特に、変動入賞部材（電動役物３２，開閉扉４２）を有する変動入賞装置（始動入賞口３１，大入賞口４１）に隠蔽部（３６，４９）を設けることが好ましい。複数の遊技部材を隣接させて配置することにより、隠蔽部（３６，４９等）を連続して形成してもよい。【選択図】          図１
2004187791.tif 000002
【特許請求の範囲】
【請求項１】
透光性領域を有する遊技基板に対して複数の遊技部材を設けた遊技機用遊技盤であって、
前記遊技部材のうちの少なくとも１つは、前記透光性領域において前記遊技盤の背面側に配設された部材を隠蔽するための隠蔽部を有することを特徴とする遊技機用遊技盤。
【請求項２】
前記遊技部材は、遊技球を受け入れ易い第１状態と遊技球を受け入れ難い第２状態との間で切換可能な変動入賞部材を有する変動入賞装置からなり、該変動入賞装置の電気配線を前記隠蔽部により隠蔽することを特徴とする請求項１記載の遊技機用遊技盤。
【請求項３】
前記複数の遊技部材を隣接させて配置することにより、前記隠蔽部を連続して形成することを特徴とする請求項１または２記載の遊技機用遊技盤。
【発明の詳細な説明】
【０００１】
【発明の属する技術分野】
本発明は、遊技機用遊技盤に関し、特に透光性領域を有する遊技基板に対して複数の遊技部材を設けた遊技機用遊技盤に関するものである。
【０００２】
【従来の技術】
従来のパチンコ遊技機は、可変表示部にマトリクス型のカラー液晶ディスプレイを使用して変化のある図柄やスロットマシンのリール等を表示するものが主流となっている。
このような液晶ディスプレイは、所望の画像を表示することが可能であり、また、ソフトプログラムを変更することにより容易に他の遊技に変更可能であることから、そのディスプレイの面積をできるだけ大きなものとすることが望まれており、例えば、特開平７−１８５０７４号公報には遊技盤の半分以上の面積を有する大画面液晶ディスプレイを有するものが開示されている。
【０００３】
このように大型の液晶ディスプレイを使用する場合には、遊技球の落下に支障をきたさず、さらには障害釘や風車等の障害部材、役物、および複数の入賞口を形成するために、遊技基板としてＡＢＳ樹脂等からなる透光性平板を用い、上記液晶ディスプレイをその背後に配置し、遊技者がこの透光性平板を介して液晶ディスプレイ上の表示画像を視認しうるように構成したものが一般的である。
【０００４】
ところで、遊技基板の背後には、入賞口に入賞した遊技球を入賞球センサに案内するための入賞球集合樋等の種々の部材が配設されている。このため、遊技基板として透光性平板を用いた場合には、液晶ディスプレイのみならずこのような種々の構成部材やセンサ等の配線も遊技者から視認可能となり、遊技の興趣を著しく損なう状態となってしまう。
【０００５】
これに対して、特開２０００−４２１８１号公報には、情報表示部の表示面積を大きくした場合であっても遊技有効面積が制限されないようにした遊技盤が開示されている。この遊技盤は、透光性部材により形成され、遊技者が遊技盤背面側を視認可能に構成した表示領域と、不透光性部材により形成され、表示領域以外の少なくとも一部について、遊技者が遊技領域の背面側を視認不能とするように構成された隠蔽領域とを含んでいる。そして、表示領域の遊技盤背面側に液晶ディスプレイを配置することにより、遊技盤背面側に配設された種々の構成部材やセンサ等の配線が遊技者から視認不能となり、遊技の興趣を損なうことがない。
【０００６】
【発明が解決しようとする課題】
しかしながら、上述した従来の技術では、遊技盤における隠蔽領域が広範囲にわたっているため、隠蔽領域において遊技盤背面側に配設された種々の構成部材の全てが遊技者から視認不能となってしまう。
この点、変動入賞装置やセンサ等のリード線が視認可能となっていると、その取り回しが見苦しくなる可能性があり、遊技者に不快感を与えてしまうため、リード線を隠蔽することには意義がある。これに対して、入賞球が流下する入賞球通路等は遊技者が興味を抱く構成部材であり、入賞球通路等を視認可能としても差し支えなく、却って視認可能とすることにより演出効果を高めることもできる。
【０００７】
このように、遊技盤背面側に配設された種々の構成部材の全てを不透光性部材で隠蔽する構成となっている従来の遊技盤では、透光性部材を用いて表示領域を設けたメリットを最大限に享受することができなかった。
【０００８】
本発明は、上述した事情に鑑み提案されたもので、透光性領域を有する遊技基板に対して複数の遊技部材を設けた遊技機用遊技盤において、透光性領域を設けたメリットを最大限に享受することが可能な遊技機を提供することを目的とする。
【０００９】
【課題を解決するための手段】
本発明に係る遊技機は、上述した目的を達成するため、以下の特徴点を備えている。
すなわち、本発明に係る遊技機用遊技盤は、透光性領域を有する遊技基板に対して複数の遊技部材を設けた遊技機用遊技盤であって、
前記遊技部材のうちの少なくとも１つは、前記透光性領域において前記遊技盤の背面側に配設された部材を隠蔽するための隠蔽部を有することを特徴とするものである。
【００１０】
また、前記遊技機用遊技盤において、前記遊技部材は、遊技球を受け入れ易い第１状態と遊技球を受け入れ難い第２状態との間で切換可能な変動入賞部材を有する変動入賞装置からなり、該変動入賞装置の電気配線を前記隠蔽部により隠蔽するように構成することが可能である。
【００１１】
また、前記遊技機用遊技盤において、前記複数の遊技部材を隣接させて配置することにより、前記隠蔽部を連続して形成することが可能である。
【００１２】
ここで、透光性領域を有する遊技基板とは、特に限定されるものではないが、例えばＡＢＳ樹脂等からなる透光性平板のことをいう。
【００１３】
また、遊技部材とは、特に限定されるものではないが、遊技盤の前面に配設されて遊技に使用される部材のことであり、例えば入賞口、あるいは風車等の障害部材のことを言う。また、変動入賞装置とは、特に限定されるものではないが、例えばチューリップ状の電動役物を有する始動入賞口、あるいは開閉扉を有する大入賞口のことを言う。
【００１４】
【発明の実施の形態】
以下、図面を参照して、本発明に係る遊技機用遊技盤の一実施形態を説明する。なお、以下の説明においては、代表的な遊技機としてパチンコ機を例にとって説明を行う。
【００１５】
図１は本発明の実施形態に係る遊技盤の正面図、図２は本発明の実施形態に係る遊技盤を用いたパチンコ機の正面図である。また、図３、図４は本発明の実施形態に係る遊技盤に用いる大入賞口アッセンブリを示すもので、図３は大入賞口アッセンブリの斜視図、図４は大入賞口アッセンブリの正面図である。また、図５は本発明の実施形態に係る遊技盤に用いる始動入賞口アッセンブリの正面図である。
【００１６】
本発明の実施形態に係る遊技盤を用いたパチンコ機１は、図２に示すように、外枠２の上半部に開閉可能に取り付けられたフロントドア３を備えており、その下方には操作部４が設けられている。
【００１７】
操作部４には、遊技に使用するための遊技球を貯留するとともに賞として払い出される遊技球を受け入れるための上皿５と、上皿５からオーバーフローした遊技球を受け入れるための下皿６とが上下に並べて取り付けられている。また、下皿６の右側には遊技球の発射操作を行なうための発射ハンドル７が設けられており、下皿６の左側には灰皿８が設けられている。さらに、上皿５には、当該パチンコ機１における球貸操作等を行なうための操作パネル９が設けられており、上皿５の左右にはそれぞれスピーカ１０が配設されている。
【００１８】
また、フロントドア３の上部前面には遊技盤２１（図１参照）が取り付けられており、遊技盤２１の前方側には遊技部２２の前方を塞ぐためのガラス板（図示せず）が取り付けられている。さらに、遊技部２２の周囲前方に位置するフロントドア３は、装飾枠２３となっている。
【００１９】
＜遊技盤＞
フロントドア３の上部前面に取り付けられた遊技盤２１は、図１に示すように、透光性を有する遊技基板の表面に、一対のガイドレール２４，２４で囲まれた略円形の遊技部２２を備えている。そして、遊技部２２の上半部には、遊技盤２１の背面側に液晶表示装置２５が配設されており、遊技部２２の下半部には、一般入賞口２６、普通図柄始動口２７、始動入賞口３１、および大入賞口４１等の入賞口が配設されるとともに、いずれの入賞口にも入賞しなかった遊技球を遊技部２２内から排出するためのアウト口２８が設けられている。
【００２０】
上記遊技盤２１を構成する遊技基板は、例えばＡＢＳ樹脂等の透光性を有する板材からなる。また、遊技盤２１の前面側に位置するフロントドア３は、遊技部２２より外周側を不透明な部材により形成している。したがって、遊技部２２内は、遊技盤２１の背面側に配設された種々の遊技部材が視認可能な透光性領域となっており、遊技部２２の外周側は、遊技盤２１の背面側に配設された種々の遊技部材が視認不能な隠蔽領域となっている。
【００２１】
なお、上記液晶表示装置２５は、大当たりと称される特別遊技の発生に関する特別図柄を変動表示するとともに、各種の演出表示等を行うためのものである。
【００２２】
＜大入賞口＞
上記大入賞口４１は、特別遊技が開始すると、所定時間および所定回数だけ遊技球を受け入れ易い状態に変動して、より多くの遊技球を受け入れることができるようにした変動入賞口の一種である。この大入賞口４１に取り付けられた開閉扉４２が、遊技球を受け入れ易い第１状態と遊技球を受け入れ難い第２状態との間で切換可能な変動入賞部材として機能する。
【００２３】
この大入賞口４１は、図３および図４に示すように、遊技盤２１に取り付けられた大入賞口アッセンブリ４３により構成される。この大入賞口アッセンブリ４３は、取付基板４４のほぼ中央に大入賞口４１が開設されており、大入賞口４１には開閉扉４２が開閉可能に取り付けられている。また、開閉扉４２は大入賞口開閉ソレノイド４５の駆動により開閉するようになっている。
【００２４】
また、図示しないが、大入賞口４１内には、大入賞口４１に入賞した遊技球をさらに受け入れるための通常入賞口と継続入賞口、並びに通常入賞口および継続入賞口への入賞経路を選択的に切り換えるための切換部材が設けられており、切換部材は入賞口切換ソレノイド４６の駆動により動作するようになっている。
【００２５】
このように、大入賞口アッセンブリ４３には、大入賞口開閉ソレノイド４５および入賞口切換ソレノイド４６が設けられており、各ソレノイド４５，４６にはそれぞれ電源を供給するためのリード線４７，４８が取り付けられている。
【００２６】
本実施形態に係る大入賞口アッセンブリ４３は、図１、図３および図４に示すように、取付基板４４の下側に板状の隠蔽部４９が設けられている。この隠蔽部４９は、図１に示すように、遊技盤２１に対して大入賞口アッセンブリ４３を取り付けた際に、遊技部２２内において取付基板４４の下側を隠蔽するような形状となっている。したがって、この隠蔽部４９により、大入賞口アッセンブリ４３に取り付けられた各ソレノイド４５，４６のリード線４７，４８が隠蔽され、遊技盤２１の表面側から視認不能となる。
【００２７】
＜始動入賞口＞
上記始動入賞口３１は、遊技球が入賞することにより、液晶表示装置２５における特別図柄の変動表示を開始させるための変動入賞口の一種であり、図１および図５に示すように、チューリップ状の電動役物３２を備えている。この電動役物３２が、遊技球を受け入れ易い第１状態と遊技球を受け入れ難い第２状態との間で切換可能な変動入賞部材として機能する。
【００２８】
なお、普通図柄始動口２７に遊技球が入賞すると普通図柄表示装置（図示せず）における普通図柄の変動が開始し、所定時間経過後に停止表示された普通図柄の表示態様が「当たり」となった場合に、電動役物３２が所定時間および所定回数だけ遊技球を受け入れ易い状態に変動して、始動入賞口３１内へ遊技球を受け入れ易い状態に変換される。
【００２９】
この始動入賞口３１は、図１および図５に示すように、遊技盤２１に取り付けられた始動入賞口アッセンブリ３３により構成される。この始動入賞口アッセンブリ３３は、取付基板３４の上部に始動入賞口３１が開設されており、始動入賞口３１を左右から挟むようにしてチューリップ状の電動役物３２が取り付けられている。また、図示しないが、電動役物３２はソレノイド等の駆動手段により開閉するため、この駆動手段に電源を供給するためのリード線３５が取り付けられている。
【００３０】
本実施形態に係る始動入賞口アッセンブリ３３は、図１および図５に示すように、取付基板４４の下側に板状の隠蔽部３６が設けられている。この隠蔽部３６は、図１に示すように、遊技盤２１に対して始動入賞口アッセンブリ３３を取り付けた際に、大入賞口アッセンブリ４３までの間隔内を隠蔽するような形状となっている。したがって、始動入賞口アッセンブリ３３の隠蔽部３６および大入賞口アッセンブリ４３の隠蔽部４９により、始動入賞口アッセンブリ３３の駆動部材に取り付けられたリード線３５が隠蔽され、遊技盤２１の表面側から視認不能となる。
【００３１】
また、遊技盤２１の端部に光源を設け、遊技盤２１の全域を均一に照明するような構成とした場合に、遊技盤２１を構成する透光性基板に対して透明インクで印刷を行うことにより絵柄が浮き上がるような印象を与え、大型の液晶表示装置に劣らないセルデザインとすることができる。
【００３２】
＜他の実施形態＞
なお、上記実施形態では大入賞口４１および始動入賞口３１を構成する部材に対して隠蔽部４９，３６を設けているが、隠蔽部は他の遊技部材に設けてもよい。すなわち、ランプあるいはＬＥＤ等のリード線を有する他の入賞口や風車等に隠蔽部を設け、ランプあるいはＬＥＤ等のリード線を隠蔽するように構成することができる。
【００３３】
また、上記実施形態では始動入賞口３１と大入賞口４１とを隣接して配置しているが、隠蔽部を有する他の遊技部材を隣接して配置することにより、各遊技部材の電気配線を隠蔽するように構成してもよい。
【００３４】
さらに、上記実施形態ではパチンコ機１を例にとって説明を行っているが、本発明は、透光性領域を有する遊技基板に対して複数の遊技部材を設けた遊技機用遊技盤を有する遊技機であれば、パチスロ遊技機、雀球遊技機、スロットマシン、アレンジボール遊技機、およびその他のゲーム機等にも適用することができる。
【００３５】
【発明の効果】
以上説明したように、本発明に係る遊技機用遊技盤によれば、遊技部材に設けた隠蔽部により、遊技盤の透光性領域において、遊技盤の背面側に配設された部材を隠蔽することができる。したがって、遊技者に不快感を与えるおそれがある部材のみを隠蔽部により隠蔽することにより、遊技盤に透光性領域を設けたメリットを最大限に享受することが可能となる。すなわち、遊技者の目障りとなる電気配線等を隠蔽部により隠蔽し、遊技者が興味を抱く入賞球通路等を遊技盤の表面側から視認可能とすることにより、遊技の面白さを高めることが可能となる。
【００３６】
特に、変動入賞部材を有する変動入賞装置は電気配線を有しているため、この変動入賞部材に対して隠蔽部を設けることが効果的である。
【００３７】
また、隠蔽部を有する複数の遊技部材を隣接して配置することにより、遊技盤のデザインを損なうことなく、遊技者に不快感を与えるおそれがある部材を隠蔽することが可能となる。
【図面の簡単な説明】
【図１】本発明の実施形態に係る遊技盤の正面図
【図２】本発明の実施形態に係る遊技盤を用いたパチンコ機の正面図
【図３】大入賞口アッセンブリの斜視図
【図４】大入賞口アッセンブリの正面図
【図５】始動入賞口アッセンブリの正面図
【符号の説明】
１  パチンコ機
２  外枠
３  フロントドア
４  操作部
５  上皿
６  下皿
７  発射ハンドル
８  灰皿
９  操作パネル
１０  スピーカ
２１  遊技盤
２２  遊技部
２３  装飾枠
２４  ガイドレール
２５  液晶表示装置
２６  一般入賞口
２７  普通図柄始動口
２８  アウト口
３１  始動入賞口
３２  電動役物
３３  始動入賞口アッセンブリ
３４  取付基板
３５  リード線
３６  隠蔽部
４１  大入賞口
４２  開閉扉
４３  大入賞口アッセンブリ
４４  取付基板
４５  大入賞口開閉ソレノイド
４６  入賞口切換ソレノイド
４７，４８  リード線
４９  隠蔽部
【図１】
2004187791.tif 000003
【図２】
2004187791.tif 000004
【図３】
2004187791.tif 000005
【図４】
2004187791.tif 000006
【図５】
2004187791.tif 000007